(57)【要約】【課題】杭の埋設工事において、掘削に内管を用いず、ケーシング（外管）のみを使用するという軽装備の機材によって、完全な無排土工法による杭の埋設を実現すること及び小口径の杭や短尺の杭に特に適した杭の埋設方法を提供することを課題とする。【解決手段】先端に掘削ヘッドを装着してあると共に先端部を下窄まりのテーパー状に成形してあるケーシングとオーガーとを杭の埋設地点においてケーシングの内方にオーガーを挿入して配置し、掘削を進め、掘削した土砂の一部を一時的に地上に上げて残置しておき、所定の深度まで掘削した後、オーガ−を地上に引き揚げて杭を建て込み、ケーシングと杭の隙間を掘削した地中の土砂で埋め、次いでケーシングを地上に引き揚げて、地上に残置した土砂の全量をケーシングを引き揚げた空洞部分及び杭の内方へ埋め戻して地上に土砂を残さないようにして杭を埋設する方法。テーパー状の先端部の肉厚を直管状の後端部の肉厚よりも太くしてあるケーシングを用いることが好ましい。口径３００〜６００ｍｍ及び／又は長さ５〜２５ｍの杭を埋設に好適である。【選択図】    図１ 
2005248439.tif 000002
【特許請求の範囲】
【請求項１】
先端に掘削ヘッドを装着してあると共に先端部を下窄まりのテーパー状に成形してあるケーシングとオーガーとを杭の埋設地点においてケーシングの内方にオーガーを挿入して配置し、同時に又は別々に起動してそれぞれ反対方向に回転させながら掘削を進め、掘削した土砂の一部を一時的に地上に上げて残置しておき、所定の深度まで掘削した後、オーガ−を地上に引き揚げて杭を建て込み、ケーシングと杭の隙間を掘削した地中の土砂で埋め、次いでケーシングを地上に引き揚げて、地上に残置した土砂の全量をケーシングを引き揚げた空洞部分及び杭の内方へ埋め戻して地上に土砂を残さないようにして杭を埋設する方法。
【請求項２】
テーパー状に成形してある先端部の肉厚を、直管状の後端部の肉厚よりも太くしてあるケーシングを用いて掘削を進める請求項１に記載の杭の埋設方法。
【請求項３】
一時的に地上に上げた土砂の一部又は全部を地上において脱水し、脱水した土砂を埋め戻すこととする請求項１又は２に記載の杭の埋設方法。
【請求項４】
請求項１から３のいずれかに記載の杭の埋設方法を用いて、口径３００〜６００ｍｍ及び／又は長さ５〜２５ｍの杭を埋設する方法。
【発明の詳細な説明】
【技術分野】
【０００１】
本発明は杭の埋設方法に関する。詳しくは、無排土工法による杭の埋設方法に関する。本発明は、既製杭（コンクリートパイル）の埋設だけでなく、鋼管杭や現場造成杭にも適用できる工法である。現在、構造物の基礎材として、既製杭、鋼管杭及び現場造成杭の３つが主流となっており、これらは、通常「杭基礎」と総称されているが、本発明の説明においては、これらを併せて、単に「杭」と称する。
【背景技術】
【０００２】
本発明者は、無排土工法による杭の埋設方法について長年の間研究を続けており、すでに、地上に土砂を残置することなく、確実に無排土によって杭を埋設する方法をいくつか発明し、特願２０００−３５４１８３号（特開２００２−１５５５３１：特許文献１）及び特願２００３−００８０２８号（未公開）として特許出願している。
【０００３】
なお、従来から、無排土による杭の埋設方法に関して多くの研究がなされているが、いずれも抜本的な解決に至っていない。例えば、特開２００３−１２９４７５号公報（特許文献２）に記載の工法は、掘削によって排出した土砂の全量にフィルタープレス処理をして処理後の容積を処理前の容積に対し約半分に減少させるなどの容積減少処理を施してから埋め戻す方法であり、低容積排土にするために多大の手間を要すると共にコストも嵩む工法である。
【０００４】
【特許文献１】特開２００２−１５５５３１号公報
【特許文献２】特開２００３−１２９４７５号公報
【０００５】
本発明者の発明に係る上記杭の埋設方法は、口径１０００ｍｍという大口径の杭でも、また長さ４５ｍ前後の長尺杭でも、或いは極密地盤であっても、無排土による施工が可能である。一般に、既製杭の口径は３００〜１２００ｍｍと範囲が広く、また、構造物の建築現場は、極密地盤のこともあれば軟弱地盤で施工が比較的容易なこともある。よって、これらの全ての杭や地盤の条件に対応して杭を埋設するためには、外管（ケーシング）と内管を併用する重装備の機材が必要であり、そのため、施工費が高くなるという問題がある。
【０００６】
本発明者の研究によれば、大型工事のとき或いは杭径や杭長が大きいとき、もしくは礫が多く施工困難な地盤のときは、重装備の機材による施工が必要であるが、杭径３００〜６００ｍｍ程度、又は杭長５〜２５ｍ程度で通常の地盤であれば、必ずしも重装備の機材を用いて施工する必要はない。
【発明の開示】
【発明が解決しようとする課題】
【０００７】
本発明に係る杭の埋設方法は、上記の問題を経済的また合理的に解決するために開発されたものである。すなわち、本発明は、杭の埋設工事における経済性と機動力を重視し、掘削に内管を用いず、ケーシング（外管）のみを使用するという軽装備の機材によって、完全な無排土工法による杭の埋設を実現することを第一の課題とする。また、本発明は、小口径の杭や短尺の杭に特に適した杭の埋設方法を提供することを第二の課題とする。
【課題を解決するための手段】
【０００８】
上記の両課題を解決するための本発明のうち、特許請求の範囲・請求項１に記載する発明は、先端に掘削ヘッドを装着してあると共に先端部を下窄まりのテーパー状に成形してあるケーシングとオーガーとを杭の埋設地点においてケーシングの内方にオーガーを挿入して配置し、同時に又は別々に起動してそれぞれ反対方向に回転させながら掘削を進め、掘削した土砂の一部を一時的に地上に上げて残置しておき、所定の深度まで掘削した後、オーガ−を地上に引き揚げて杭を建て込み、ケーシングと杭の隙間を掘削した地中の土砂で埋め、次いでケーシングを地上に引き揚げて、地上に残置した土砂の全量をケーシングを引き揚げた空洞部分及び杭の内方へ埋め戻して地上に土砂を残さないようにして杭を埋設する方法である。
【０００９】
また、同請求項２に記載する発明は、テーパー状に成形してある先端部の肉厚を、直管状の後端部の肉厚よりも太くしてあるケーシングを用いて掘削を進める請求項１に記載の杭の埋設方法である。
【００１０】
また、同請求項３に記載する発明は、一時的に地上に上げた土砂の一部又は全部を地上において脱水し、脱水した土砂を埋め戻すこととする請求項１又は２に記載の杭の埋設方法である。
【００１１】
さらに、同請求項４に記載する発明は、請求項１から３のいずれかに記載の杭の埋設方法を用いて、口径３００〜６００ｍｍ及び／又は長さ５〜２５ｍの杭を埋設する方法である。
【発明の効果】
【００１２】
本発明に係る杭の埋設方法は、上記の構成であるから、外管（ケーシング）と内管を併用する重装備の工法に対して、ケーシングのみを使用するという軽装備の機材によって、杭の埋設を完全無排土で実現できる。そのため、本発明に係る杭の埋設方法は、内管が不要であることは勿論、杭打機を小型化でき、また、併用するオーガーも容量が小さいもので済むなど施工に関する経費負担を大幅に減少できる。その上、本発明に係る杭の埋設方法によれば、作業性・安全性が高まるばかりか、道路事情の悪い場所であっても施工できるなど施工の範囲を大幅に拡げることができる。また、本発明に係る杭の埋設方法は、杭径３００〜６００ｍｍ程度及び／又は杭長５〜２５ｍ程度の小型杭の埋設に特に好適に用いることができる。
【発明を実施するための最良の形態】
【００１３】
以下、本発明に係る杭の埋設方法の実施例を図面に基づいて詳しく説明する。
なお、一般に、掘削による土砂の発生量と収容量の関係は、以下のとおりである。
土砂の発生量＝掘削口径又はケーシングの内径×掘削長さ
土砂の収容量＝ケーシングが占めていた容積−埋設した杭の占める容積
【実施例１】
【００１４】
図１は、本発明の一実施例の杭の埋設方法の説明図である。図１のＡ〜Ｃは、掘削による土砂の発生量と収容量の関係の説明図であり、図１のＤ〜Ｆは、本実施例の方法の工程説明図である。図１に示すように、本実施例で使用するケーシング（外管）は、先端に掘削ヘッドを装着してあると共に、先端から約２ｍまでの先端部を下窄まりのテーパー状に成形してある。すなわち、本実施例では、ケーシングとして、後端部（地上側）は内径６４０ｍｍの直管状であるが、先端部を下窄まりのテーパー状に成形し、内径を５３０ｍｍに絞ってある長さ１０ｍの鋼管（肉厚２０ｍｍ）であり、かつ、図示のように、テーパー状の先端部とその近辺の肉厚を直管状の後端部よりもやや太く（肉厚３０ｍｍに）したものを使用する。本実施例では、このケーシングと掘削径５３０ｍｍのオーガーを併用して掘削を進め、杭径（外径）５００ｍｍで長さ１０ｍの杭（肉厚８０ｍｍのコンクリートパイル）を埋設するケースについて説明する。
【００１５】
もし、図１のＡに示すケーシングが、先端部をテーパー状に絞っておらず、先端から後端まで直管状のケーシングであるとすると、地下１０ｍまで掘削したとき、ケーシング掘削によって発生する土砂の量は、
（０．６４／２）２π×１０ｍ＝３．２１ｍ３  
となる筈である（図１のＡに斜線で示す）。しかし、本実施例では、ケーシングの先端の内径を５３０ｍｍに絞ってあるため、掘削による土砂の発生量は、
（０．５３／２）２π×１０ｍ＝２．２０ｍ３  
である。この土砂の発生量は、ケーシングの内方に掘削径５３０ｍｍのオーガーを挿入して、いわゆるダブルオーガーの状態で掘削するときでも変わりはない。土砂の発生量を、図１のＢに点線と斜線で示す。（なお、掘削された土砂は、後で説明するとおり、容積が１０％ほど増えるので、図１のＢでは、２．２０×１．１＝２．４２ｍ３として記載してある。）
【００１６】
オーガーを用いて掘削を進めている間に土砂の一部は自動的に地上に排出されるが、これを直ちに埋め戻すことなく、一時的に地上に残置する。土砂の残置量は任意であるが、本実施例では、図１のＣに示すように、掘削した土砂１．０ｍ３を地上に残置するものとする。そうすると、地中には、２．２０ｍ３−１．０ｍ３＝１．２０ｍ３の掘削された土砂が残ることになる（地中に残る掘削土砂の量を、図１のＣに斜線で示す）。
【００１７】
ケーシングの内方にオーガーを挿入してダブルオーガーの状態で掘削を進める。地下１０ｍまで掘削した時点では、地中にある１．２０ｍ３の掘削土砂（一時的に地上に排出した土砂を除いた量）は、図１のＤに斜線で示すように、オーガーとケーシングとの隙間に収容されることになる。この隙間の容量（土砂の収容可能量）は、概略で、
３．２１ｍ３−２．２０ｍ３＝１．０１ｍ３  
であるから、地中に残っている掘削土砂のほぼ全量を収容することが可能である。すなわち、一時的に地上に排出して残置する土砂の量を調整することによって、地中に残っている掘削土砂の全量をオーガーとケーシングの隙間に収容することができる。
【００１８】
地下１０ｍまで掘削した時点でオーガーを引き揚げて、図１のＥに示すように、空洞となった部分に杭を建て込む。オーガーの掘削径は５３０ｍｍであり、杭の外径は５００ｍｍであるから、径の関係では杭は問題なく挿入できる。なお、ケーシングとオーガーの隙間に収容されている掘削土砂は、いままでオーガーの回転によってケーシングの内壁に押しつけられていたので、オーガーを引き揚げても、ほとんど崩壊しないが、崩壊しそうなときは、杭の建て込みを迅速におこない、また、必要に応じてケーシングを少し引き揚げて土砂収容量の調整を図るとよい。すなわち、ケーシングを少し引き揚げると、ケーシングの先端部が占めていた容積分の隙間ができるので、その隙間を、崩壊して落下した土砂の収容部とすることができる。特に、本実施例のように、先端部の肉厚を後端部の肉厚よりも太く成形してあるケーシングを用いると、ケーシングを少し引き揚げることで発生する隙間がより大きくなり、土砂の収容スペースが増えるので、きわめて好ましい。
【００１９】
次いで、ケーシングを地上に引き揚げる。そうすると、肉厚２０ｍｍのケーシングが占めていた厚み「４０ｍｍ」とオーガー（掘削径５３０ｍｍ）と杭の外径（５００ｍｍ）の差「３０ｍｍ」の、合計で「幅７０ｍｍのドーナツ状の空洞部」が生じる。この空洞部の容量は、およそ、
ケーシングが占めていた容積−杭が占める容積
＝｛（０．６４＋０．０４）／２｝２π×１０ｍ−（０．５０／２）２π×１０ｍ
＝３．８４ｍ３−１．９６ｍ３＝１．８８ｍ３  
である。地上には、およそ１ｍ３の土砂を残置してあるので、掘削された土砂の容積の変化（膨脹量）を考慮しても、また、ケーシングの先端部をテーパー状に絞ったことによる容積減を見込んでも、地上に残置していた土砂の全量を、余裕をもって、ケーシングを引き揚げた後の「ドーナツ状の空洞部」へ埋め戻すことができる。なお、杭の内側にも土砂を収容できるので、図１のＦに示すように、土砂の収容量は十分に確保できる。
【００２０】
念のため、杭の内側の土砂収容可能量を計算すると、本実施例の場合、杭径５００ｍｍで長さ１０ｍ、肉厚８０ｍｍの杭を埋設するのであるから、
杭の内径＝５００−８０×２＝３４０ｍｍ
杭の内側の土砂収容スペース＝（０．３４／２）２π×１０ｍ＝０．９ｍ３  
である。よって、本実施例の方法によれば、地上に土砂を残留させる必要が全くなく、掘削した土砂を全て埋め戻すことが可能であり、完全な無排土工法を実現できることが容易に理解できる。
【００２１】
以下、実施例１の説明を若干補足する。
上記の説明から理解できるように、本発明の方法は、ケーシングと共にオーガーを用いる、いわゆるダブルオーガー方式であるが、ケーシングとオーガーとは必ずしも同時に起動して使用する必要はない。また、オーガーは、オーガーヘッドの近辺部分はスクリューを外して、単なるロッド状にしてあるものを用いると、掘削による土砂の排出を抑えることができるので好ましい。
【００２２】
無排土工法において、掘削した土砂を１箇所に収容することはきわめて困難である。本発明においては、この点に留意し、土砂を分散させて収容する方法を採るものである。そのため、杭穴内も、重要な土砂の収容部として活用する。
【００２３】
本発明は、上記実施例のとおり、先端部を下窄まりのテーパー状に成形したケーシングを使用するが、テーパー状部分の長さ、テーパー状部分と直管状部分の長さの比率、テーパーの角度、ケーシングの先端の口径や後端の口径の寸法、ケーシングの肉厚の寸法などは任意であり、埋設する杭の長さや口径に応じて、また埋設地点の地盤の状態に応じて、適宜に決めればよい。要は、ケーシングの先端部を下窄まりのテーパー状に成形することによって、掘削の進行に伴って発生する土砂がケーシング内へ侵入する量をケーシングの容積に比べて少量に抑えることがねらいであり、この目的に適う形状・寸法であれば特に限定はない。
【００２４】
また、本発明では、上記の実施例のように、ケーシングは、後端部は肉厚２０ｍｍの直管であるとしても、先端部は肉厚を３０ｍｍ程度に太くしておくことが好ましい。このようにケーシングの先端部の肉厚を後端部よりも太くしておくと、ケーシングの強度が大きくなると共に、ケーシングを引き揚げた後の地中の空洞部がより大きくなるので、掘削した土砂の収容部がより大きくなって、杭をよりスムースに挿入できるようになる。
【００２５】
オーガーによって破砕された礫は小片礫となり、さらに地盤によって含水量に大きな差があるので、掘削した土砂（礫を含む）の容積の変化（増加量）を特定することは困難である。しかし、一般に、オーガーで掘削されることにより発生する土砂の容積は掘削前よりも１０％程度増加するものと考えられる。上記の実施例では、説明を簡単にするため、掘削による土砂の容積の変化を見込んでいない。また、ケーシングの先端部を下窄まりのテーパー状に成形したことによる土砂収容容積の減少分も見込んでいない。そこで、これらの点を考慮して、実施例１における土砂の発生量と収容量を再計算すると、以下のようになる。
（１）土砂の発生量は、
ａ．オーガーによる土砂の掘削量＝（０．５３／２）２π×１０ｍ＝２．２０ｍ３  
ｂ．掘削による土砂の膨脹量を１０％とすると、０．２２ｍ３  
よって、掘削による土砂の発生量は、ａ＋ｂ＝２．４２ｍ３である（図１のＢ）。
（２）一方、土砂の収容（可能）量は、
ａ．ケーシングが占めていた容積−杭が占める容積＝１．８８ｍ３  
ｂ．杭の内側の容積＝０．９ｍ３  
ｃ．ケーシングの先端から２ｍまでの先端部をテーパー状に絞ったことにより容積減を    ３分の２と見ると、容積減は、
（０．５３／２）２π×２ｍ×２／３＝０．２９ｍ３          である。
よって、ケーシングを引き揚げた後の土砂の収容可能スペースは、
ａ＋ｂ−ｃ＝２．４９ｍ３となり、土砂の発生量２．４２ｍ３よりも大きい。
以上の計算により、掘削によって発生する土砂の全量を土中に収容することは十分に可能であることが確認された。
なお、この収容量に、本実施例のように、ケーシングの先端部の肉厚を後端部よりも太くした分を加えると、土砂の収容可能量はさらに増えるので、十分な余裕を作ることができる。
【００２６】
なお、本発明の方法によれば、セメントミルクをほとんど使用しなくて済む。せいぜい杭の先端根固めに用いる程度で十分である。そのため、本発明の方法は、環境汚染のおそれがほとんどない。すなわち、掘削終了後、図１のＤに示すように、オーガー先端部から先端根固めに適した量のセメントミルクを噴出しながら徐々にオーガーを引き揚げるとよい。
【００２７】
地上に排出された土砂は、一時的に脱水タンク（排土処理器）などに貯留して脱水するとよい。脱水タンクは、例えば、底部を格子状ないし網状に形成してあるドラム缶様のタンクＡをタンクＢの上に載置した構造のもので、土砂はタンクＡに投入し貯留する。そうすると、土砂が含む水分は、タンクＡに貯留中に格子状ないし網状の底部からタンクＢへ経時的に滴下して、タンクＡ内の土砂は次第に脱水され、その分だけ土砂の容量が軽減する。このように、残置土砂の一部又は全部を脱水してその容量を低減させてから地中へ埋め戻す方法を採ると、地中に収容される土砂の量が少なくなるので大変好ましい。なお、タンクＡを洗濯機のように回転させると、投入した土砂の脱水がスムースに進行するので一層好ましい状態となる。
【００２８】
本発明に係る杭の埋設方法の説明を整理すると、以下のとおりである。
（１）先端に掘削ヘッドを装着してあると共に、先端部を下窄まりのテーパー状に成形し    てあるケーシングを用意する。
（２）ケーシングの先端部に挿入できる外径を有するオーガーを用意する。
（３）ケーシングとオーガーとを杭の埋設地点においてケーシングの内方にオーガーを挿    入して配置する。
（４）ケーシングとオーガーとを同時に又は別々に起動してそれぞれ反対方向に回転させ    ることで発生するトルクを相殺しながら掘削を進める。
（５）掘削した土砂の一部を一時的に地上に上げて残置する。
（６）所定の深度まで掘削した後、オーガ−を地上に引き揚げて杭を建て込む。
（７）ケーシングと杭の隙間を、掘削した地中の土砂で埋める。
（８）次いで、ケーシングを地上に引き揚げる。
（９）地上に残置している土砂の全量をケーシングを抜いた空洞部分及び建て込んだ杭の    内方へ埋め戻す。
（10）杭の埋設が終了した後、杭頭部の状態を確認し、固定の具合に応じて埋め戻す土砂    の量を調節する。
かくして、地上に土砂を全く残さない状態で杭を埋設することができる。
【００２９】
また、本発明に係る杭の埋設方法は、以下の２点を備えていると、より好ましい工法となる。
（11）先端部の肉厚を後端部の肉厚よりも太くしたケーシングを使用すること、
（12）一時的に地上に上げた土砂の一部又は全部を、地上において適宜の方法により脱水    してから、地中に埋め戻すこと
【００３０】
以上の説明によって容易に理解できるように、本発明に係る無排土工法のポイントは、（イ）先端部を下窄まりのテーパー状に成形してあるケーシングを用いることによって、掘削穴への土砂の進入を少量に制限すること、
（ロ）地中における土砂の収容スペースが増えるまで掘削した土砂の一部を地上に上げて残置し、杭をケーシング内に挿入しやすくすること、
（ハ）ケーシングを引き揚げることで地中の土砂収容容量を増やし、収容容量が増えた後で地上に残置していた土砂を埋め戻すこと、
の３点に尽きる。
【産業上の利用可能性】
【００３１】
以上詳細に説明するとおり、本発明に係る杭の埋設方法は、ケーシングのみを用いるという軽装備によって、完全無排土工法を実現できる画期的な施工方法であり、現場工事に伴う環境汚染の問題を十分に解消できる。また、本発明に係る杭の埋設方法は、杭の埋設のためのコストを大幅に低減できると共に、作業性・安全性を向上できる。。特に、本発明は、杭径３００〜６００ｍｍ程度及び／又は杭長５〜２５ｍ程度の小型の杭の埋設に好適に用いることができる。
【図面の簡単な説明】
【００３２】
【図１】本発明の実施例の杭の埋設方法の説明図。図１のＡ〜Ｃは、掘削による土砂の発生量と収容量の関係の説明図であり、図１のＤ〜Ｆは、本実施例の方法の工程説明図である。
【図１】
2005248439.tif 000003